(57)【要約】【課題】部品点数が少ない縦締め方式のバッテリターミナルであって、締付部材の傾きを防止して、確実に電極固定部を締め付けることが可能なものを提供すること。【解決手段】端子本体２には、電線側の端子金具を取り付けるスタッドボルト３と、バッテリポスト２１を固定する電極固定部６と、締付用ボルト４を回し付け可能なナット部１２とが設けられている。電極固定部６には、端子本体２に接続する固定端部７Ａと、自由端部７Ｂとが設けられている。このうち、固定端部７Ａには、締付部材５の姿勢を維持する第１姿勢維持部１７が設けられている。また、端子本体２において、締付部材５の後脚部２３Ａが接触する部位には、第２姿勢維持部２０が折り立てられている。締付用ボルト４を回し付ける際に、締付部材５を傾けようとする力が働いた場合には、両姿勢維持部１７、２０が締付脚部２２Ｂと後脚部２３Ａに当接することで、傾きを規制する。【選択図】　　　　図１２
2004022415.tif 000002
【特許請求の範囲】
【請求項１】
バッテリポストの周囲に巻き付く電極固定部とナット部とを備えた端子本体と、前記電極固定部を締め付ける締付部材と、前記ナット部に嵌まり込むと共に前記締付部材を移動させることで前記電極固定部を前記バッテリポストに組み付ける締付用ボルトとを備えたバッテリターミナルであって、
前記端子本体または前記締付部材のうちの少なくともいずれか一方側には、前記締付部材が前記締付用ボルトによって移動される際に、前記締付部材の姿勢を維持する姿勢維持部が設けられていることを特徴とするバッテリターミナル。
【請求項２】
前記電極固定部には、前記端子本体に連結する固定端部と、前記締付部材によって前記電極固定部が前記バッテリポストを締め付ける方向に移動する自由端部とが設けられていると共に、前記姿勢維持部は、前記固定端部において、前記締付部材が接触する部位に設けられていることを特徴とする請求項１に記載のバッテリターミナル。
【請求項３】
前記電極固定部には、前記端子本体に連結する固定端部と、前記締付部材によって前記電極固定部が前記バッテリポストを締め付ける方向に移動する自由端部とが設けられていると共に、前記締付部材には、前記両端部を跨ぐ一対の締付脚部と、これら締付脚部よりも前記電極固定部から遠ざかる方向に設けられた後脚部とが設けられており、前記姿勢維持部は、前記後脚部が前記端子本体に接触する部位に設けられていることを特徴とする請求項１に記載のバッテリターミナル。
【請求項４】
前記電極固定部には、前記端子本体に連結する固定端部と、前記締付部材によって前記電極固定部が前記バッテリポストを締め付ける方向に移動する自由端部とが設けられていると共に、前記締付部材には、前記両端部を跨ぐ一対の締付脚部と、これら締付脚部よりも前記電極固定部から遠ざかる方向に設けられた後脚部とが設けられており、前記姿勢維持部は、前記締付脚部及び前記後脚部において、前記締付用ボルトを挟む対角位置であって、前記端子本体と前記締付部材とが接触する一対の部位に設けられていることを特徴とする請求項１に記載のバッテリターミナル。
【請求項５】
バッテリポストの周囲に巻き付く電極固定部とナット部とを備えた端子本体と、前記電極固定部を締め付ける締付部材と、前記ナット部に嵌まり込むと共に前記締付部材を移動させることで前記電極固定部を前記バッテリポストに組み付ける締付用ボルトとを備えたバッテリターミナルと、電線に接続されて前記バッテリターミナルに対して組み付けられる電線側端子金具との組付け構造であって、
前記電線側端子金具には、前記締付部材が前記締付用ボルトによって移動される際に、前記締付部材の姿勢を維持する姿勢維持部が設けられていることを特徴とするバッテリターミナルと電線側端子金具との組付け構造。
【発明の詳細な説明】
【０００１】
【発明の属する技術分野】
本発明は、バッテリターミナルに関するものである。
【０００２】
【従来の技術】
近年、自動車のエンジンルーム内部には、設置される部品が非常に多くなって密度が高まっていることから、ボルトを締め付ける操作を行うための作業空間が限られていることが多い。このため、従来から用いられている横締め方式（バッテリポストの延設方向に対して、ほぼ直交する方向から締付用ボルトを締め付ける方式）のバッテリポストでは、締付作業に困難な状況が発生することがある。
【０００３】
そこで、バッテリポストの延設方向に対して、ほぼ並行する方向にボルトを向けることが可能な縦締め方式のバッテリターミナルの開発が進んでいる。例えば、実開平６−５４２０５号公報に開示されたバッテリターミナル１００がある（図２４および図２５を参照）。このバッテリターミナル１００には、バッテリポストを固定する電極固定部を備えた端子本体１０１と、図示しない電線を取り付けるスタッドボルト１０２と、端子本体１０１の電極固定部１０６を締め付ける締付部材１０３と、締付用ボルト１０４と、ナット１０５とが設けられている。このように、バッテリターミナル１００には、少なくとも五個の部材が必要となることから、部品の組み付け及び管理に多大な労力が必要となる。
【０００４】
【発明が解決しようとする課題】
上記の問題点を解決するために、従来技術ではないが、本発明者の改良例によれば、例えば図２６に示す構造のバッテリターミナル１０７が考えられる。このバッテリターミナル１０７では、端子本体１０８に締付用ボルト１０９を組み付けるためのナット部１１０を配置することで、ナット１０５を不要としている。しかしながら、上記のバッテリターミナル１０７では、締付用ボルト１０９を回し付けたときに、締付部材１１１に対して均一な作用が加わらず、図２７に示すように、締付部材１１１が傾いてしまい、締付部材１１１が充分に電極固定部１１２を締め付けないという事態が懸念される。
【０００５】
本発明は、上記した課題に鑑みてなされたものであり、その目的は、部品点数が少ない縦締め方式のバッテリターミナルであって、締付部材の傾きを防止することで、電極固定部を確実に締め付けることが可能なものを提供することにある。
【０００６】
【課題を解決するための手段、発明の作用、及び発明の効果】
上記の課題を解決するために第１の発明は、バッテリポストの周囲に巻き付く電極固定部とナット部とを備えた端子本体と、前記電極固定部を締め付ける締付部材と、前記ナット部に嵌まり込むと共に前記締付部材を移動させることで前記電極固定部を前記バッテリポストに組み付ける締付用ボルトとを備えたバッテリターミナルであって、前記端子本体または前記締付部材のうちの少なくともいずれか一方側には、前記締付部材が前記締付用ボルトによって移動される際に、前記締付部材の姿勢を維持する姿勢維持部が設けられていることを特徴とする。
【０００７】
「姿勢維持部」とは、締付部材が締付用ボルトによって移動される際に、締付部材が傾くことを規制するための構成を意味している。具体的には、端子本体の一部と締付部材との一部とが、例えばレール状に係合することにより、締付部材の進行方向を案内する構成などがある。
第１の発明によれば、締付用ボルトを端子本体のナット部に締め付けることにより、締付部材を移動させると、電極固定部がバッテリポストを締め付ける。この締付操作の際には、姿勢維持部が締付部材の姿勢を維持するので、締付部材が傾いて締付力が得られないという事態が回避される。また、ナット部は、端子本体に設けられているので、バッテリターミナルの部品点数を減少させることができる。
【０００８】
第２の発明は、第１の発明において、前記電極固定部には、前記端子本体に連結する固定端部と、前記締付部材によって前記電極固定部が前記バッテリポストを締め付ける方向に移動する自由端部とが設けられていると共に、前記姿勢維持部は、前記固定端部において、前記締付部材が接触する部位に設けられていることを特徴とする。
第２の発明によれば、締付部材が締付用ボルトによって移動されると、電極固定部の自由端部がバッテリポストを締め付ける方向に移動する。また、姿勢維持部は、固定端部において、締付部材が接触する部位に設けられており、締付部材の姿勢を維持する。
【０００９】
第３の発明は、第１の発明において、前記電極固定部には、前記端子本体に連結する固定端部と、前記締付部材によって前記電極固定部が前記バッテリポストを締め付ける方向に移動する自由端部とが設けられていると共に、前記締付部材には、前記両端部を跨ぐ一対の締付脚部と、これら締付脚部よりも前記電極固定部から遠ざかる方向に設けられた後脚部とが設けられており、前記姿勢維持部は、前記後脚部が前記端子本体に接触する部位に設けられていることを特徴とする。
第３の発明において、後脚部の位置及び個数は問われず、一つまたは二つ以上の複数でもよい。また、後脚部が複数の場合には、姿勢維持部は、それらの後脚部のうち、少なくとも一ヶ所に設けられていればよい。また、姿勢維持部は、後脚部または端子本体のいずれの側に設けられていても良く、両側に設けられていても良い。
第３の発明によれば、締付部材が締付用ボルトによって移動されると、一対の締付脚部が電極固定部の自由端部を移動させることで、電極固定部がバッテリポストを締め付ける。また、締付部材には、一対の締付脚部の他に、後脚部が設けられており、この後脚部が端子本体に接触する部位に、姿勢維持部が設けられている。
【００１０】
第４の発明は、第１の発明において、前記電極固定部には、前記端子本体に連結する固定端部と、前記締付部材によって前記電極固定部が前記バッテリポストを締め付ける方向に移動する自由端部とが設けられていると共に、前記締付部材には、前記両端部を跨ぐ一対の締付脚部と、これら締付脚部よりも前記電極固定部から遠ざかる方向に設けられた後脚部とが設けられており、前記姿勢維持部は、前記締付脚部及び前記後脚部において、前記締付用ボルトを挟む対角位置であって、前記端子本体と前記締付部材とが接触する一対の部位に設けられていることを特徴とする。
第４の発明において、後脚部の位置及び個数は問われず、一つまたは二つ以上の複数でもよい。但し、後脚部のうちの少なくとも一つは、締付用ボルトを挟んで固定端部に対して対角上に設け、少なくともその後脚部と固定端部とが端子本体に接触する二ヶ所の部位に姿勢維持部を設けることが好ましい。そのようにすれば、より締付部材の姿勢を維持する効果を向上させることができる。
第４の発明によれば、姿勢維持部は、締付用ボルトを挟む対角位置に一対に設けられているので、締付部材の姿勢を維持する性能をより向上できる。
【００１１】
第５の発明は、バッテリポストの周囲に巻き付く電極固定部とナット部とを備えた端子本体と、前記電極固定部を締め付ける締付部材と、前記ナット部に嵌まり込むと共に前記締付部材を移動させることで前記電極固定部を前記バッテリポストに組み付ける締付用ボルトとを備えたバッテリターミナルと、電線に接続されて前記バッテリターミナルに対して組み付けられる電線側端子金具との組付け構造であって、前記電線側端子金具には、前記締付部材が前記締付用ボルトによって移動される際に、前記締付部材の姿勢を維持する姿勢維持部が設けられていることを特徴とする。
第５の発明によれば、バッテリターミナルに電線側端子金具を組み付けておき、締付用ボルトをナット部に回し付けることにより、締付部材が電極固定部を締め付け、バッテリターミナルがバッテリポストに固定される。このとき、電線側端子金具には、締付部材の姿勢を維持する姿勢維持部が設けられているので、締付部材が傾いて締付力が得られないという事態が回避される。
【００１２】
【発明の実施の形態】
次に、本発明の実施形態について、図面を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶものである。
【００１３】
＜第１実施形態＞
次に、図１〜図１５を参照しつつ、本発明の第１実施形態について説明する。図１には、第１実施形態のバッテリターミナル１を示した。バッテリターミナル１は、バッテリポスト２１に固定された状態で、電線端部に接続された電線側端子金具（図示せず）が組み付けられる。バッテリターミナル１は、バッテリポスト２１に組み付く端子本体２と、電線の端部を取り付けるスタッドボルト３と、締付部材５と、締付用ボルト４と、Ｃリング２６との五個の部材から構成されている（なお、Ｃリング２６は、場合によっては省略することで、バッテリターミナル１を四個の部材から構成することもできる。）。
【００１４】
まず、図１〜図５を参照しつつ、端子本体２の構成について説明する。端子本体２には、バッテリポスト２１の周囲に巻き付く電極固定部６が設けられている。電極固定部６は、端子本体２の前方（図１において、左下方）に突設されており、上下両方向に開口する略円環状とされている。より詳細には、電極固定部６の形状は、コーン型の上端部分を切り落とし、下端側が上端側よりも大きくなる台形状とされている。この電極固定部６には、一対の端部７Ａ、７Ｂが設けられている。このうち一方側の端部は、固定端部７Ａとされており、端子本体２に連結して固定された状態となっている。一方、他方側の端部は、自由端部７Ｂとされており、電極固定部６がバッテリポスト２１を締め付ける方向に移動することができる。
【００１５】
固定端部７Ａにおいて、締付部材５の締付脚部２２Ｂが当接する部位には、固定端部７Ａの一部が外方に折り曲げられることにより、第１姿勢維持部１７が設けられている。第１姿勢維持部１７は上下方向に延設されており、締付脚部２２Ｂに当接することで、締付部材５の姿勢が傾かないように維持することができる。
なお、電極固定部６の内周面には、周方向に沿って一定間隔で、上下方向に溝部８が凹設されており、バッテリポスト２１に対して良好な固定状態が維持されるようになっている（図１にのみ示す）。
【００１６】
また、端子本体２において、電極固定部６が設けられた側と反対側（図１における右上側）には、電線装着用のスタッドボルト３が、垂直方向に突設されている。スタッドボルト３は、本体上板部１０に開口された取付孔１１に挿通された後に、本体下板部９の折り付けによって、両板部９，１０の間に挟み付けられた状態で固定されている。
【００１７】
また、端子本体２において、電極固定部６とスタッドボルト３との間の位置には、図２に示すように、ナット部１２が設けられている。このナット部１２は、締付用ボルト４を本体上方向より垂直に回し付け可能に設けられている。このように、本実施形態では、ナット部１２は、端子本体２に設けられているので、従来のようにナット１０５を別部品として設ける場合に比べると、バッテリターミナル１の部品点数を減少させることができる。
【００１８】
また、端子本体２において、ナット部１２の側方には、本体上板部１０の側縁部分が上方に向かって折り立てられて、第２姿勢維持部２０が設けられている。第２姿勢維持部２０の前端縁は、外方に向かって折り曲げられており、係合縁２０Ａが設けられている。この第２姿勢維持部２０は、締付部材５が締付用ボルト４の回し付けによって下方に移動される際に、姿勢が傾かないように、維持することができる（後に詳述する。）。
なお、図５には、端子本体２の展開図を示した。
【００１９】
次に、図６〜図１０を参照しつつ、締付部材５について説明する。締付部材５は、図６に示すように、天井板部１３と、この天井板部１３の四隅のそれぞれから端子本体２に向かって垂下される脚部２２Ａ，２２Ｂ，２３Ａ，２３Ｂとを備えた略テーブル状とされている。天井板部１３には、締付用ボルト４を遊挿する取付孔１４が設けられている。
【００２０】
四つの脚部２２Ａ，２２Ｂ，２３Ａ，２３Ｂのうち、図７において左側に位置する一対の締付脚部２２Ａ，２２Ｂは、電極固定部６の端部７Ａ，７Ｂの間を跨ぐようにして取り付けられる。また、自由端部７Ｂに接触する側の締付脚部２２Ａには、下方に向かって幅が狭まるテーパ状の案内面１６が設けられている。この案内面１６は、締付用ボルト４の締付けに伴って、自由端部７Ｂを移動させることで、電極固定部６の内径を狭めてバッテリポスト２１を締め付ける。また、締付脚部２２Ｂにおける外方側縁部は、強度を向上するために略直角方向に折り曲げられて、強化縁部２４が設けられている。締付部材５が端子本体２に組み付けられると、固定端部７Ａに設けた第１姿勢維持部１７が、強化縁部２４に当接するようになっている（図１１を参照）。
【００２１】
また、図９に示すように、天井板部１３の後方側（すなわち、締付脚部２２Ａ，２２Ｂに比べて、電極固定部６から遠ざかる側）には、一対の後脚部２３Ａ，２３Ｂが設けられている。このうち、締付脚部２２Ａの後方に位置する後脚部２３Ａの隣には、後面部１８との間に溝部１９が設けられている。この溝部１９には、端子本体２の第２姿勢維持部２０が嵌まり込むようになっている。また、締付部材５が端子本体２に組み付けられると、第２姿勢維持部２０の係合縁２０Ａは、後脚部２３Ａの前面側に位置するようになっている（図１２を参照）。こうして、第２姿勢維持部２０は、後脚部２３Ａが端子本体２に接触する部位に設けられている。
【００２２】
次に、上記のように構成された本実施形態の作用および効果について、図１１〜図１５を参照しつつ説明する。
まず、端子本体２に対して、締付部材５を所定の位置に載置する。このとき、締付部材５の両締付脚部２２Ａ，２２Ｂの間に、両端部７Ａ，７Ｂを挟み込むようにしておく。また、締付部材５の溝部１９の内側には、第２姿勢維持部２０を嵌め込んでおく。
【００２３】
次に、Ｃリング２６を天井板部１３の取付孔１４に整合させておき、締付用ボルト４を取付孔１４に遊挿させた後、締付用ボルト４の先端をナット部１２に挿入して回し付ける。締付用ボルト４を回転させると、締付用ボルト４がナット部１２の奥側に進入すると共に、締付部材５が締付用ボルト４によって、端子本体２に対して深く嵌まり込んでいく。締付用ボルト４を所定の位置まで回し付けると、締付部材５の案内面１６が自由端部７Ｂの上端外側に対して軽く当接した状態となるので、ここで一旦締付用ボルト４の回転操作を中止する。こうして、バッテリターミナル１を仮組した状態（すなわち、両端部７Ａ，７Ｂが、案内面１６によって締め付けられておらず、バッテリターミナル１をバッテリポスト２１に対して着脱できる状態）としておく。
【００２４】
浅い位置に組み付けられたバッテリターミナル１は、バッテリポスト２１との組付けが行われる場所に搬入される。バッテリターミナル１の電極固定部６をバッテリポスト２１の外周に嵌め付けた後に、バッテリターミナル１の上方からインパクトレンチ（図示せず）を用いて、締付用ボルト４を回転させて締め付ける。すると、締付用ボルト４の移動に伴って、締付部材５が端子本体２に対して下降し、案内面１６が電極固定部６の自由端部７Ｂを固定端部７Ａの方向に押圧することにより、両端部７Ａ，７Ｂが近接する方向に移動する。この移動によって、電極固定部６の孔径が狭まり、バッテリポスト２１を締め付けることで、バッテリターミナル１とバッテリポスト２１とが固定される（図１５を参照）。
【００２５】
この締付操作の際には、締付部材５を傾けようとする力が作用する。つまり、締付部材５の締付脚部２２Ａ，２２Ｂには、両端部７Ａ，７Ｂを締め付ける際の反作用が働く一方、後脚部２３Ａ，２３Ｂには、そのような作用は働かないので、締付部材５の後側が締付用ボルト４の回し付けに伴って、先に連れ動きしようとする。ところが、本実施形態のバッテリターミナル１には、第１及び第２の姿勢維持部１７、２０が設けられている。締付部材５が傾く方向に力を受けた場合には、第１姿勢維持部１７は締付部材５の強化縁部２４に、第２姿勢維持部２０は後脚部２３Ａの前面側に、それぞれ当接することで、締付部材５の姿勢を維持することができる。このため、締付部材５が傾く方向に作用を受けたとしても、両姿勢維持部１７、２０が締付部材５の姿勢を維持するので、締付部材５が傾いて締付力が得られないという事態が回避される。
また、姿勢維持部１７、２０は、締付用ボルト４を挟む対角位置に一対に設けられているので、締付部材５の姿勢を維持する性能をより向上できる。
【００２６】
＜第２実施形態＞
次に、本発明の第２実施形態について、図１６〜図１８を参照しつつ説明する。なお、本実施形態と第１実施形態とにおいて、同一の作用を奏する構成には、同一の符号を付して、説明を省略する。
本実施形態と第１実施形態との主たる相違は、第２姿勢維持部３０の形状、及び第３姿勢維持部３１の存在である。
【００２７】
第２姿勢維持部３０は、第１実施形態と同様に、締付部材５の後脚部２３Ａが接触する部位に設けられている。第２姿勢維持部３０の前後両端部は、共に外方に折り曲げられており、その中間部分には、上下方向に続くレール溝３０Ａが設けられている。このレール溝３０Ａは、締付部材５の移動に伴って、後脚部２３Ａが進む方向に設けられている。
【００２８】
また、第３姿勢維持部３１は、自由端部７Ｂに設けられている。すなわち、自由端部７Ｂからバッテリポスト２１に近接する側は、平断面が略チャネル状となるように折曲げ加工がなされており、ここに第３姿勢維持部３１が設けられている。この第３姿勢維持部３１は、締付部材５の案内面１６を受け入れ、締付部材５の移動の際に、案内面１６の進行方向を円滑に導くことで、締付部材５の姿勢を維持するようになっている。
なお、締付部材５には、左右両側の側縁に強化縁部２４が設けられている。
【００２９】
上記のように構成された本実施形態によっても、第１実施形態と同様の作用および効果を奏することができる。
加えて、本実施形態では、三つの姿勢維持部１７、３０、３１が設けられているので、締付部材５の姿勢を維持する能力が更に向上されている。
【００３０】
＜第３実施形態＞
次に、本発明の第３実施形態について、図１９〜図２３を参照しつつ説明する。なお、本実施形態と第１実施形態とにおいて、同一の作用を奏する構成には、同一の符号を付して、説明を省略する。
【００３１】
本実施形態と第１実施形態との主たる相違は、姿勢維持部３５の構成である。本実施形態では、姿勢維持部３５は、電線側端子金具３６に設けられている。電線側端子金具３６は、図１９及び図２０に示すように、電線３７の一端部に接続された状態で、端子本体２のスタッドボルト３に組み付けられる。電線側端子金具３６には、電線３７をかしめ付けるバレル部３８と、スタッドボルト３を挿通可能な組付孔３９と、姿勢維持部３５とが設けられている。姿勢維持部３５は、電線側端子金具３６の先端部（図１９において左端部）に設けられており、平断面が略チャネル状とされている。
【００３２】
すなわち、姿勢維持部３５には、一対の脚片４０が設けられており、その脚片４０の先端が、互いに内側に折り曲げられることにより、開口の離間幅を狭めるようになっている。また、脚片４０の先端は、図２０の示すように、電線側端子金具３６から上方に向かって立ち上がるガイド部４１とされている。両ガイド部４１の後面側（図２０において右側）には、締付部材５の後脚部２３Ａ，２３Ｂの前面側が当接可能とされている。
【００３３】
また、締付部材５の天井板部１３において、左右両側縁の後端寄りの位置には、ガイド部４１との当接を回避する当接回避溝４２が凹設されている。
本実施形態によれば、端子本体２のスタッドボルト３に電線側端子金具３６を組み付けておき、締付部材５を所定の位置に載置する。そこで、締付用ボルト４をナット部１２に回し付けることにより、締付部材５が電極固定部６を締め付け、バッテリターミナル１がバッテリポスト２１に固定される。このとき、電線側端子金具３６には、締付部材５の姿勢を維持する姿勢維持部３５が設けられているので、締付部材５が傾いて締付力が得られないという事態が回避される。
なお最後に、ナット４３をスタッドボルト３に締め付けることで、電線側端子金具３６を固定する。
【図面の簡単な説明】
【図１】第１実施形態におけるバッテリターミナルの全体斜視図である。
【図２】端子本体の平面図である。
【図３】端子本体の右側面図である。
【図４】端子本体の左側面図である。
【図５】端子本体の展開図である。
【図６】締付部材の斜視図である。
【図７】締付部材の側面図である。
【図８】締付部材の正面図である。
【図９】締付部材の背面図である。
【図１０】締付部材の平面図である。
【図１１】端子本体に締付部材を組み付けたときの平面図である。
【図１２】端子本体と締付部材とを組み付けたときの姿勢維持部の様子を示す平面図である。
【図１３】端子本体に締付部材を載置したときの右側面図である。
【図１４】端子本体に締付部材を載置したときの左側面図である。
【図１５】締付部材を締付用ボルトで締め付けたときのバッテリターミナルの左側面図である。
【図１６】第２実施形態における端子本体に締付部材を組み付けたときの姿勢維持部の様子を示す平面図である。
【図１７】端子本体に締付部材を載置したときの左側面図である。
【図１８】締付部材を締付用ボルトで締め付けたときのバッテリターミナルの左側面図である。
【図１９】第３実施形態における電線側端子金具の平面図である。
【図２０】電線側端子金具の側面図である。
【図２１】締付部材の平面図である。
【図２２】端子本体に電線側端子金具を組付けた後に、締付部材を載置したときの側面図である。
【図２３】端子本体に電線側端子金具を組付けた後に、締付部材を組み付けたときの平面図である。
【図２４】従来例におけるバッテリターミナルの分解斜視図である。
【図２５】従来例におけるバッテリターミナルの正面図である。
【図２６】従来例を改良した参考例におけるバッテリターミナルの斜視図である。
【図２７】従来例を改良した参考例において、締付部材が傾いたときの様子を示す側面図である。
【符号の説明】
１…バッテリターミナル
２…端子本体
４…締付用ボルト
５…締付部材
６…電極固定部
７Ａ…固定端部
７Ｂ…自由端部
１２…ナット部
１７…第１姿勢維持部（姿勢維持部）
２０、３０…第２姿勢維持部（姿勢維持部）
２１…バッテリポスト
２２Ａ，２２Ｂ…締付脚部
２３Ａ…後脚部
３１…第３姿勢維持部（姿勢維持部）
３５…姿勢維持部
３６…電線側端子金具
３７…電線
【図１】
2004022415.tif 000003
【図２】
2004022415.tif 000004
【図３】
2004022415.tif 000005
【図４】
2004022415.tif 000006
【図５】
2004022415.tif 000007
【図６】
2004022415.tif 000008
【図７】
2004022415.tif 000009
【図８】
2004022415.tif 000010
【図９】
2004022415.tif 000011
【図１０】
2004022415.tif 000012
【図１１】
2004022415.tif 000013
【図１２】
2004022415.tif 000014
【図１３】
2004022415.tif 000015
【図１４】
2004022415.tif 000016
【図１５】
2004022415.tif 000017
【図１６】
2004022415.tif 000018
【図１７】
2004022415.tif 000019
【図１８】
2004022415.tif 000020
【図１９】
2004022415.tif 000021
【図２０】
2004022415.tif 000022
【図２１】
2004022415.tif 000023
【図２２】
2004022415.tif 000024
【図２３】
2004022415.tif 000025
【図２４】
2004022415.tif 000026
【図２５】
2004022415.tif 000027
【図２６】
2004022415.tif 000028
【図２７】
2004022415.tif 000029